(57)【特許請求の範囲】
【請求項１】
目地部を挟んで配置され構造物に設けられた開口部を有する目地材取付溝に、前記目地部を跨いで目地材の両端部を前記目地材取付溝の前記開口部から挿入固定する目地材取付溝の遮水構造であって、
前記開口部と前記目地材との間に、それぞれ前記開口部と前記目地材とに接して遮水する溝遮水部材を備え、
前記目地材取付溝は、溝背面および／または溝側面に、前記目地材の取り付け位置を前方および／または側方にガイドするガイド部材を備える、
ことを特徴とする目地材取付溝の遮水構造。
【請求項２】
目地部を挟んで配置され構造物に設けられた開口部を有する目地材取付溝に、前記目地部を跨いで目地材の両端部を前記目地材取付溝の前記開口部から挿入固定する目地材取付溝の遮水構造であって、
前記開口部と前記目地材との間に、それぞれ前記開口部と前記目地材とに接して遮水する溝遮水部材を備え、
前記目地材取付溝は、底部が塞がれて溝底部遮水材が設けられる、
ことを特徴とする目地材取付溝の遮水構造。
【請求項３】
前記目地材取付溝は、底部が塞がれて溝底部遮水材が設けられる、
ことを特徴とする請求項１に記載の目地材取付溝の遮水構造。
【請求項４】
前記溝遮水部材は、前記開口部の両側にそれぞれ配置される板状溝遮水材で構成される、
ことを特徴とする請求項１〜３のいずれかに記載の目地材取付溝の遮水構造。
【請求項５】
前記溝遮水部材は、前記開口部の両側にそれぞれ配置され中空部を有して中詰材が充填される円筒状溝遮水材で構成される、
ことを特徴とする請求項１〜４のいずれかに記載の目地材取付溝の遮水構造。
【発明の詳細な説明】
【技術分野】
【０００１】
本発明は、目地材取付溝の遮水構造に関する。
【背景技術】
【０００２】
ケーソンやブロックなどの重力式構造物が管理型廃棄物最終処分場の護岸として用いられていることが多い。この場合、隣接するケーソン間などの構造物間の目地部に、地震などによる地盤変動や不等沈下などにより目地部の間隔が変位しても土砂、廃棄物、保有水、遮水材などの流出を防止するため、遮水構造が設けられる。
【０００３】
構造物間の目地部の遮水構造は、例えば特許文献１に開示されたものがあり、隣接するケーソン間などの目地部の壁面の上下方向に対向して溝を形成し、溝の開口部をスリット状に狭くしておき、目地部の間隔より広い目地材の両端部を対向する溝に挿し込むようにし、間隔をあけて２つ取り付けた２つの目地材間に目地部遮水材としてアスファルトマスチックなどを充填して構成されている。
これにより、目地材と目地材間に充填された目地部遮水材とにより、地震などによる地盤変動や不等沈下などによって目地部の間隔が変位しても土砂、廃棄物、保有水、遮水材などの流出を防止して遮水する。
【先行技術文献】
【特許文献】
【０００４】
【特許文献１】特開２００５−１４６６５９号公報
【発明の概要】
【発明が解決しようとする課題】
【０００５】
特許文献１に開示された遮水構造では、２つの目地材の間に充填した目地部遮水材を目地部に保持することで遮水するようにしているが、目地材を取り付ける溝の遮水性が保たれていないと、溝を回り込んで目地部遮水材が漏洩してしまう恐れがある。
そこで、溝内にも遮水材を充填するようにしているが、近年、目地材を取り付ける溝についての遮水性に対する要望が高まり、一層の遮水性の向上が望まれている。
【０００６】
本発明は、上記従来技術の要望に鑑みてなされたもので、目地材を取り付ける溝の遮水性の一層の向上を図ることができる目地材取付溝の遮水構造を提供することを目的とする。
【課題を解決するための手段】
【０００７】
上記目的を達成するため、本発明の目地材取付溝の遮水構造は、
目地部を挟んで配置され構造物に設けられた開口部を有する目地材取付溝に、前記目地部を跨いで目地材の両端部を前記目地材取付溝の前記開口部から挿入固定する目地材取付溝の遮水構造であって、
前記開口部と前記目地材との間に、それぞれ前記開口部と前記目地材とに接して遮水する溝遮水部材を備え、
前記目地材取付溝は、溝背面および／または溝側面に、前記目地材の取り付け位置を前方および／または側方にガイドするガイド部材を備える、
ことを特徴とする。
また、本発明の目地材取付溝の遮水構造は、
目地部を挟んで配置され構造物に設けられた開口部を有する目地材取付溝に、前記目地部を跨いで目地材の両端部を前記目地材取付溝の前記開口部から挿入固定する目地材取付溝の遮水構造であって、
前記開口部と前記目地材との間に、それぞれ前記開口部と前記目地材とに接して遮水する溝遮水部材を備え、
前記目地材取付溝は、底部が塞がれて溝底部遮水材が設けられる、
ことを特徴とする。
前記目地材取付溝は、底部が塞がれて溝底部遮水材が設けられることが好ましい。
【０００８】
前記溝遮水部材は、前記開口部の両側にそれぞれ配置される板状溝遮水材で構成されることが好ましい。
【０００９】
前記溝遮水部材は、前記開口部の両側にそれぞれ配置され中空部を有して中詰材が充填される円筒状溝遮水材で構成されることが好ましい。
【発明の効果】
【００１２】
本発明によれば、目地材を取り付ける溝の遮水性の一層の向上を図ることができる。
【図面の簡単な説明】
【００１３】
【図１】本発明の目地材取付溝の遮水構造の一実施の形態にかかる目地材取付溝の平面図である。
【図２】本発明の目地材取付溝の遮水構造の他の一実施の形態にかかる目地材取付溝の平面図である。
【図３】本発明の目地材取付溝の遮水構造の一実施の形態にかかる目地材取付溝を拡大したそれぞれ平面図である。
【図４】本発明の目地材取付溝の遮水構造の他の一実施の形態にかかる目地材取付溝を拡大したそれぞれ平面図である。
【図５】本発明の目地材取付溝の遮水構造のさらに他の一実施の形態にかかる目地材取付溝を拡大したそれぞれ平面図である。
【図６】本発明の目地材取付溝の遮水構造の一実施の形態にかかる目地材取付溝を拡大した外観斜視図である。
【図７】本発明の目地材取付溝の遮水構造の一実施の形態にかかるガイド部材の施工途中の平面図及びＡ−Ａ断面図である。
【図８】本発明の目地材取付溝の遮水構造の一実施の形態にかかるガイド部材の設置状態の平面図及びＢ−Ｂ断面図である。
【発明を実施するための形態】
【００１４】
以下、本発明の実施の形態について図面を参照して詳細に説明する。
本発明の目地材取付溝の遮水構造１００は、構造物であるケーソン１，１間の目地部２を遮水する目地材１０を取り付けるための目地材取付溝３に適用されるものである。
本発明の目地材取付溝の遮水構造１００は、目地部２を挟んで配置されケーソン１，１に設けられた開口部３ａを有する目地材取付溝３に、目地部２を跨いで目地材１０の両端部を目地材取付溝３の開口部３ａから挿入固定する目地材取付溝３の遮水構造１００であって、開口部３ａと目地材１０との間に、それぞれ開口部３ａと目地材１０とに接して遮水する溝遮水部材２０を備えて構成される。
なお、ケーソン１，１としては、コンクリート製、鋼製、これらを組み合わせたハイブリッド製などのケーソンに限らず、Ｌ型ブロックやセルラーブロックなどであっても良い。
【００１５】
目地材１０が設置される構造物としてのケーソン１，１には、目地部２を挟んで対向する端面１ａ、１ａに上下方向に沿って目地材取付溝３、３が形成してある。目地材取付溝３、３には、それぞれ狭幅の開口部３ａ，３ａが設けられるとともに、内部に空間３ｂ，３ｂが形成される。
目地材取付溝３，３は、例えば図１に示すように、ケーソン１の端面１ａに横断面が矩形の凹部４として鋼材などで形成される。矩形の凹部４には、その開口を２枚の板材５で塞ぐようにして狭い幅の開口部３ａと内部の空間３ｂが形成されている。さらに、開口部３ａ，３ａには、板材５の開口側端部に図示しない丸棒が溶接などで取り付けられるようにしても良い。これにより、目地材１０と円弧面で接触するようにして接触による損傷を防止する。
なお、板材５の開口側端部に丸棒を溶接するのに代えて円弧状に加工（Ｒ加工や面取り）するようにしても良い。
【００１６】
なお、目地材取付溝３は、開口部３ａが狭幅で内部に空間３ｂが形成されるものであれば、その横断面形状は、矩形に限らず円形など他の形状であっても良い。
また、目地材取付溝３は、施工上、開口部３ａを凹部４とは別の板材５で形成するようにすることが好ましいが、板材５を省略して図示した図２〜図５のように、凹部４に開口部３ａを一体に形成しても良い。
また、開口部３ａがケーソン１の端面１ａ上に位置し、空間３ｂがケーソン１内に配置される場合に限らず、鋼材などで構成した別体の目地材取付溝をケーソン１の端面１ａから突き出すように取り付けても良い。
また、ケーソン１，１の対向する目地材取付溝３，３は、完全に直線状に対向させる必要はなく、目地材１０の大きさなどによって異なるが、目地材１０を挿着できる程度の角度の違いが生じて対向する状態であっても良い。
【００１７】
目地材取付溝３は、ケーソン１の端面１ａの大きさ（目地部２に沿う長さ）にもよるが、例えば、海側と埋立側との間などの２箇所に間隔をあけて設けられたり、間隔をあけた２箇所だけでなく、さらに２箇所設けて４箇所としても良い。
【００１８】
また、目地材取付溝３に取り付ける目地材１０は、必ずしも全てが同一仕様のものでなくとも想定される変位を許容できるものであれば良く、少なくとも１つの目地材１０以外は、目地材取付溝３を用いて挿入固定しない形式、例えば端面１ａにアンカーボルトなどで直接取り付ける目地材を用いるようにしても良い。
【００１９】
目地材１０は、例えば図１に示すように、対向するケーソン１，１の端面１ａ，１ａの目地材取付溝３，３の間に取り付けられる。目地材１０は、ゴムや合成樹脂などの可撓性材料で作られる。目地材１０は、その可撓性および形状効果で想定した許容変位に追従できるようにしてある。なお、目地材１０は、必要に応じて可撓性材料の内部に補強材が入れられて外部を可撓性材料とした補強構造が採られたものが用いられる。
目地材１０は、例えば１次止水材１１と２次止水材１２とで構成され、両端部に目地材取付溝３に取り付ける取付部１１ａ，１１ａ、１２ａ，１２ａを備える。目地材１０は、取付部１１ａ，１１ａ，１２ａ，１２ａの中間部に伸縮により変位を許容する余長部１２ｂ（１次止水材１１の余長部は、図示せず）が連結して設けられる。余長部１２ｂは、目地部２に配置され、目地部２の変位に追従してシール状態を保持する。
【００２０】
本実施形態の目地材１０は、想定される地震動に対し、１次許容量としてのレベル１地震動の変位量に追随する１次止水材１１と、１次許容量の変位を越えるレベル２地震動の変位量に追随する２次止水材１２と、で構成される。１次止水材１１は、２次止水材１２と独立して固定されて構成される。
そして、レベル１地震動までは、図示しない余長部を有する１次止水材１１で変位を許容して土砂，廃棄物，保有水，遮水材などの漏洩を防止する。同時に、１次止水材１１は、２次止水材１２の余長部１２ｂの変位を規制するよう構成してある。
一方、レベル１地震動の変位量を越える変位量に対しては、１次止水材１１は破断され、２次止水材１２の余長部１２ｂにより変位を許容可能とし、漏洩を防止するよう構成してある。
これにより、レベル１地震動に対して目地材１０は、１次止水材１１によってケーソン１，１間の目地部２からの廃棄物および保有水などの漏洩を防止する。レベル２地震動に対して目地材１０は、２次止水材１２によってケーソン１，１などの構造物（護岸）自体は変形しても海面廃棄物処分場内の廃棄物および保有水が目地部２から外部に漏洩（流出あるいは浸出）しないようにする。
本実施形態では、想定される地震動としてレベル１地震動に対しては、例えば、相対変位量を１００〜２００ｍｍの範囲と想定し、レベル２地震動に対しては、例えば、相対変位量を最大７５０ｍｍと想定している。
【００２１】
目地材１０を構成する１次止水材１１は、弾性素材によってシート状に形成されており、弾性素材の可撓性および／または図示しない伸縮する余長部などの形状効果によりレベル1地震動の変位量を許容することができるように構成してある。目地材１０では、１次止水材１１に、必要に応じて弾性素材の内部に補強材が入れられて外部を弾性素材とした補強構造が採られたものが用いられる。
１次止水材１１は、例えば、図１に示すように、両端部に目地材取付溝３に取り付ける取付部１１ａ，１１ａを備える。
取付部１１ａは、挿し込み固定金具６にボルト・ナット７を介して取り付けるための取付孔が所定の間隔で形成してある。取付部１１ａは、補強材で補強する。
１次止水材１１は、取付部１１ａ，１１ａの中間部に図示しない伸縮する余長部が一体に連結して設けられる。余長部は、目地部２に配置され、レベル１地震動までの変位量に追随してシール状態を保持する。
なお、１次止水材１１の余長部は、レベル１地震動までの変位量に追随できれば良く、その形状は、特に限定するものでなく、蛇腹状や折り返し状などこれまでの目地材に採用されている形状を採用することができる。
【００２２】
目地材１０では、１次止水材１１は、２次止水材１２の少なくとも一方側に設けられる。すなわち、２次止水材１２を変位させる力が加わる上流側、または上流側および下流側の両側に設けられる。
１次止水材１１を２次止水材１２の少なくとも一方側を覆って設けることで、想定した１次許容量であるレベル１地震動までの変位量の範囲では、直接変位を生じさせる力が２次止水材１２に加わらないようにし、２次止水材１２に変位が生じないように規制する。
例えば、ケーソン１，１の海側や埋立側の側面に目地材１０を配置する場合には、２次止水材１２の外側（変位させる力が加わる上流側）となる海側や埋立側に１次止水材１１を配置して２次止水材１２を覆うようにする。
一方、目地部２の中間部に目地材１０を配置する場合には、図１に示すように、両側から変位を生じさせる力が加わることから２次止水材１２の両側に１次止水材１１を配置して両側を覆うようにする。
【００２３】
２次止水材１２は、弾性素材によってシート状に形成されている。２次止水材１２は、目地部２を跨いで配置され、両端部が隣接する構造物であるケーソン１，１に、例えば、目地材取付溝３を介して固定される。２次止水材１２は、構造物であるケーソン１，１間のレベル２地震動による変位を許容して漏洩を防止する余長部１２ｂを有している。
これにより、構造物であるケーソン１，１が、レベル２地震動によって護岸自体が損傷したとしても、余長部１２ｂによって相対変位量を最大７５０ｍｍ（総変位量は、１５００ｍｍ）としているので、ケーソン１，１などの護岸の内側の廃棄物および保有水の流出（漏洩）を防止することができる。
【００２４】
２次止水材１２は、両端部に目地材取付溝３に取り付けるための取付部１２ａ，１２ａを備え、中間部に余長部１２ｂを備える。
取付部１２ａには、挿し込み固定金具６にボルト・ナット７を介して取り付けるための取付孔が所定の間隔で形成してある。取付部１２ａは、補強材で補強してあり、１次止水材１１の取付部１１ａと重ねて挿し込み固定金具６にボルト・ナット７で取り付けられる。
こうすることで、２次止水材１２の取付部１２ａに１次止水材１１の取付部１１ａを介して変位させようとする力が加わることがなく、それぞれを独立して変位させることができる。
【００２５】
２次止水材１２は、取付部１２ａ，１２ａの中間部に余長部１２ｂが一体に連結して設けられる。余長部１２ｂは、例えば、目地部２に配置され、想定されるレベル２地震動による変位量に追随してシール状態を保持する。
なお、２次止水材１２の余長部１２ｂは、例えば、蛇腹型等としてレベル２地震動の変位量に追随できる長さを備えて構成される。そして、余長部１２ｂを備えた２次止水材１２の両端部の取付部１２ａの間隔が目地材取付溝３，３の間隔に合わせて形成してある。
目地材１０は、長手方向には、ケーソン１の高さに応じた必要な長さに形成され、複数枚の可撓性材料のシートを接着などで連結することで製造される。
なお、目地材１０は、吊り下げて挿し込むなどの施工の必要に応じ、施工後切断する部分を上端部に設けておく。目地材１０は、長手方向に分割しておき、これを連結して取り付けるようにしても良い。
【００２６】
目地部２の底部については、１次止水材１１や２次止水材１２の下端部、少なくとも２次止水材１２の下端部に変形に追随する弾性体等の袋状の遮水部を取り付けるようにし、その弾性体の遮水部を目地材１０の自重により押し付けるようにして追随させることで遮水する。
また、１次止水材１１や２次止水材１２の下端部に弾性体やブラシなどを設けることにより、レベル１地震動およびレベル２地震動の目地材１０の変位に対しても対応できるようにしても良い。
さらに、ケーソン１，１を深層混合処理工法により改良された地盤上のトレンチ部内に設置する場合には、目地材１０の下端部に弾性体やブラシなどを設けることなく、トレンチ部内に遮水材を充填することによって底部を遮水すれば良い。
このような目地材１０によって、レベル１地震動による変位量およびレベル２地震動の大きな変位量に対しても目地材１０が瞬時に応答して伸長され、遮水性を確保することができる。
一方、これまでの２つの目地材間の目地部に目地部遮水材としてアスファルトマスチックなどを充填して構成した遮水構造では、目地部遮水材の変位に対する追随速度が遅く、瞬時に遮水性を確保することが困難であったが、本願の目地材１０によれば、地震などによる地盤変動や不等沈下などによって目地部２の間隔が変位しても応答性がよく瞬時に対応し、土砂、廃棄物、保有水、遮水材などの流出を防止して遮水することができるのである。
【００２７】
次に、本発明が適用される目地材取付溝３に取り付ける他の目地材３０について説明する。
目地材３０は、例えば図２に示すように、両端の取付部３１，３１の間に伸縮する余長部３２がシート状の可撓性材料を環状に接続して構成されている。余長部３２は、環状の内部に中空部となる空間が形成される大環状部３２ａと、この大環状部３２ａの中央部にシート状の可撓性材料の中央部を重ねて連結するとともに、両端部を重ねて環状とされた小環状部３２ｂとで構成されている。
また、目地材３０の小環状部３２ｂの重ね合せ部分が一方の取付部３１とされ、大環状部３２ａの反対側の中央部に可撓性材料のシートを重ねて連結し、その端部が外側に突き出したもう一方の取付部３１とされる。そして、目地材３０は、長手方向には、ケーソン１の高さに応じた必要な長さに形成され、複数枚の可撓性材料のシートを接着などで連結することで製造される。
これにより、目地材３０は、想定される地震動として、例えばレベル２地震動に対する変位を許容する。
なお、目地材３０は、施工のため、施工後切断部が設けられる。
【００２８】
このように構成した目地材１０及び目地材３０は、ケーソン１，１間の目地部２に、目地材１０，３０を目地材取付溝３に挿し込み固定金具６を介して挿し込むようにして設置する。目地材取付溝３の空間３ｂには、膨張モルタルなどの充填材３ｃを充填して開口部３ａと目地材１０との間をシール状態とする。
また、目地材３０では、大環状部３２ａ内にアスファルトマスチックなどの中詰材３３が充填され、目地部２のケーソン１，１の表面に押し付けてシール状態とされる。
この後、２つの目地材１０，１０の間や２つの目地材３０，３０の間の目地部２に、これまでと同様に、目地部遮水材を充填する。
また、目地材１０，１０や目地材３０の底部の遮水性を向上するために、最大の変位が生じても目地材１０，３０のそれぞれの下端部が流動性遮水材に浸漬した状態となるようにしておく。すなわち、２つの目地材１０，１０の間や２つの目地材３０，３０の間の目地部２に底部の遮水性を確保するため、所定の高さまで流動性遮水材を充填しておき、流動性遮水材で遮水することもできる。流動性遮水材は、例えばアスファルト系、土質系、ケミカル系などの流動性のある遮水材が用いられる。具体的な流動性遮水材としては、例えば、アスファルトペーストを挙げることができる。
【００２９】
このような目地材１０，３０を設置した状態で、レベル１地震動を越えるレベル２地震動が発生すると、目地材１０では、１次止水材１１は破断されるものの２次止水材１２は、余長部１２ｂが伸長され、止水性が保持される。
また、目地材３０では、余長部３２の大環状部３２ａに小環状部３２ｂが繋がって１つの大きな環状部が形成され、これにより、止水性が確保される。
なお、２つの目地材１０，１０や目地材３０，３０の間に流動性遮水材を充填した場合には、目地材１０，３０のそれぞれの底部では、流動性遮水材がレベル２地震動に追随して流動し、伸長した目地材１０，３０の下端部を流動性遮水材に浸漬した状態とし、底部の遮水性を確保する。
これにより、想定した地震動、例えばレベル１を越えるレベル２地震動に対して瞬時の遮水性を目地材１０，３０と流動性遮水材で確保することができる。
【００３０】
次に、目地材取付溝３に目地材１０，３０を取り付けて遮水する本発明の目地材取付溝の遮水構造１００について、図３〜図６により、具体的に説明する。
目地材取付溝の遮水構造１００では、図３に示すように、溝遮水部材２０として板状溝遮水材２１が用いられており、開口部３ａと目地材１０，３０とに両側でそれぞれ接触させて開口部３ａを塞いで遮水する。
板状溝遮水材２１は、ゴムや織布、不織布等で構成され、目地材取付溝３の高さに対応する長さで、目地材取付溝３の空間３ｂに充填する膨張モルタルなどの充填材３ｃの負荷が加わっても開口部３ａを塞いだ状態を保持することができる幅とされている。
板状溝遮水材２１は、例えば図３（ａ）に示すように、目地材１０，３０の取付部１１ａ，１２ａ，３１に重ねて挿し込み固定金具６に取り付けられる。また、板状溝遮水材２１は、例えば図３（ｂ）に示すように、目地部２内に位置する目地材１０，３０の余長部１２ｂ，３２側に接着などで取り付けられている。
これら板状溝遮水材２１は、目地材１０，３０の目地材取付溝３への挿し込みと同時に設置され、板状溝遮水材２１が開口部３ａの内面に接触することで、開口部３ａと目地材１０，３０とに両側でそれぞれ接触することで、開口部３ａを塞いで遮水する。
このような板状溝遮水材２１を設けることで、目地材取付溝３の開口部３ａは、完全にシールされ、充填材３ｃの漏洩を防止することができ、遮水することができる。
【００３１】
さらに、溝遮水部材２０は、図４に示すように、目地材取付溝３に予め取り付けておく板状溝遮水材２２で構成することもできる。
この板状溝遮水材２２は、板状溝遮水材２１と同様に、ゴムや織布、不織布等で構成され、目地材取付溝３の高さに対応する長さで、目地材取付溝３の空間３ｂに充填する膨張モルタルなどの充填材３ｃの負荷が加わっても開口部３ａを塞いだ状態を保持することができる幅とされている。
板状溝遮水材２２は、例えば図４（ａ）に示すように、目地材取付溝３の開口部３ａを挟む空間３ｂの内側に対向して取り付けられる。したがって、目地材取付溝３の開口部３ａを、図１に示した板材５を別体として設けて形成するようにしておき、別体とした２枚の板材５の内側にそれぞれ板状溝遮水材２２をシール状態でボルト・ナットや接着剤など取り付けることが、施工上好ましい。
こうして予め目地材取付溝３に板状溝遮水材２２を取り付けた状態で、目地材１０，３０を目地材取付溝３に挿し込んでいき、板状溝遮水材２２の先端部が空間３ｂ内で目地材１０，３０に接触するようにする。
こうすることで、板状溝遮水材２２が開口部３ａの内側で目地材１０，３０にそれぞれ接触することで、開口部３ａを塞いで遮水する。
このような板状溝遮水材２２を設けることで、目地材取付溝３の開口部３ａは、完全にシールされ、充填材３ｃの漏洩を防止することができ、遮水することができる。
【００３２】
また、溝遮水部材２０は、例えば図５に示すように、円筒状溝遮水材２３で構成することができる。
この円筒状溝遮水材２３は、ゴムや織布、不織布等で円筒状に構成され、目地材取付溝３の高さに対応する長さとされ、円筒状の中空内部に充填材（中詰材）２３ａを充填することで膨らみ、目地材取付溝３の空間３ｂに充填する膨張モルタルなどの充填材３ｃの負荷が加わっても開口部３ａを塞いだ状態を保持することができるように形成されている。
円筒状溝遮水材２３は、例えば図５に示すように、目地材取付溝３の開口部３ａを挟む空間３ｂの内側に対向して挿し込み固定金具６や目地材１０，３０に接着剤などで取り付けられる。
こうして予め挿し込み固定金具６や目地材１０，３０に円筒状溝遮水材２３を取り付けた状態で、目地材取付溝３に挿し込み固定金具６を挿し込んで行き、円筒状溝遮水材２３が目地材取付溝３の開口部３ａの外側、開口部３ａの間、あるいは、開口部３ａの内側（目地材取付溝３内）に位置する状態とする。すなわち、円筒状溝遮水材２３が開口部３ａを中心とする内外に位置するようにしておく。
そして、円筒状溝遮水材２３の中空内部に充填材（中詰材）２３ａを充填して膨らませ、目地材１０，３０に接触させて開口部３ａを塞いでシール状態とする。
こうすることで、円筒状溝遮水材２３が開口部３ａの外側（図５（ａ）参照）、開口部３ａの間（図５（ｂ）参照）、あるいは、開口部３ａの内側（図５（ｃ）参照）のいずれかの状態で、目地材１０，３０にそれぞれ接触することで、開口部３ａを塞いで遮水する。
このような円筒状溝遮水材２３を設けて充填材（中詰材）２３ａを充填することで、目地材取付溝３の開口部３ａは、完全にシールされ、充填材３ｃの漏洩を防止することができ、遮水することができる。
【００３３】
次に、本発明の目地材取付溝の遮水構造１００が適用される目地材取付溝３には、図６〜図８に示すように、ガイド部材４０が設けられる。
次に、本発明の目地材取付溝の遮水構造１００が適用される目地材取付溝３には、図６に示すように、ガイド部材４０が設けられる。
ガイド部材４０は、目地材取付溝３の溝背面および／または溝側面に、目地材１０，３０の取り付け位置を前方および／または側方にガイドするためのものである。すなわち、ガイド部材４０は、背面ガイド材４１と図示しない側面ガイド材とを単独に設けたり、これらを組み合わせて目地材取付溝３の背面と側面とに取り付けて構成される。
ガイド部材４０は、図示例のように、目地材取付溝３の背面だけに背面ガイド材４１を設けて構成し、挿し込み固定金具６を開口部３ａ側に寄せるようにして目地材１０，３０および溝遮水部材２０（図６では図示せず（図３〜５参照））を所定の位置に誘導する。
ガイド部材４０は、目地材取付溝３の下端部に向かって前方に突き出すような傾斜面を備えて構成される。また、ガイド部材４０は、目地材取付溝３の上下方向に１個所だけでなく、複数個所に設置するようにしても良く、この場合も下端部に近いものほど、前方に突き出す高さを高くするようにする。
このようなガイド部材４０を背面ガイド材４１だけで構成し、目地材取付溝３の背面だけに背面ガイド材４１を設置すれば、施工途中においては、図７に示すように、背面ガイド材４１によって挿し込み固定金具６をガイドしながら挿入することができる。そして、施工完了状態では、図８に示すように、下端部の背面ガイド材４１によって挿し込み固定金具６を開口部３ａ側に寄せて目地材１０，３０を設置することができ、溝遮水部材２０（図６〜図８では図示せず（図３〜５参照））の位置が一定となり、開口部３ａのシールが安定し、遮水性も一層向上することができる。
また、側面ガイド材を目地材取付溝３の側面の両側に設置すれば、挿し込み固定金具６を開口部３ａの中央に目地材１０，３０を設置することができ、溝遮水部材２０の位置が一定となり、開口部３ａのシールが安定し、遮水性も一層向上することができる。
さらに、背面ガイド材４１と側面ガイド材とを目地材取付溝３の背面と、目地材取付溝３の側面の両側に設置すれば、挿し込み固定金具６を開口部３ａ側に寄せて目地材１０，３０を設置することができるとともに、挿し込み固定金具６を開口部３ａの中央に位置させて目地材１０，３０を設置することができ、溝遮水部材の前後及び左右の位置が一定となり、開口部３ａのシールが安定し、遮水性も一層向上することができる。
【００３４】
さらに、目地材取付溝の遮水構造１００では、目地材取付溝３の底部分を塞ぎ、底部分に溝底部遮水材２４を設けてある。溝底部遮水材２４は、発泡ウレタンや液状ゴムなどが用いられ、目地材取付溝３の製作時に充填敷設される。
こうすることで、目地材取付溝３の底部から、空間３ｂ内に充填した膨張モルタルなどの充填材３ｃが漏洩することを防止できる。
【００３５】
以上、実施の形態とともに、説明したように、本発明の目地材取付溝の遮水構造１００によれば、目地部２を挟んで配置され構造物であるケーソン１，１に設けられた開口部３ａを有する目地材取付溝３に、目地部２を跨いで目地材１０の両端部を目地材取付溝３の開口部３ａから挿入固定する目地材取付溝の遮水構造１００であって、開口部３ａと目地材１０との間に、それぞれ開口部３ａと目地材１０とに接して遮水する溝遮水部材２０を備え、目地材取付溝３は、溝背面および／または溝側面に、目地材の取り付け位置を前方および／または側方にガイドするガイド部材を備えているので、溝遮水部材２０が開口部３ａと目地材１０とに両側でそれぞれ接触することで、開口部３ａを完全にシールすることができ、目地材取付溝３内に充填された充填材３ｃの漏洩を防止することができ、遮水することができる。これにより、目地材１０が取り付けられる目地材取付溝３を介して土砂、廃棄物、保有水、遮水材などが回り込んで流出することを防止して確実に遮水することができる。また、目地材取付溝３は、溝背面および／または溝側面に、目地材１０，３０の取り付け位置を前方および／または側方にガイドするガイド部材４０を備えているので、ガイド部材４０によって挿し込み固定金具６を開口部３ａ側に寄せたり、開口部３ａの中央に配置することができ、目地材１０，３０および溝遮水部材２０を所定の位置にすることができる。これにより、一層確実に開口部３ａをシールして遮水することができる。
本発明の目地材取付溝の遮水構造１００によれば、目地部２を挟んで配置され構造物であるケーソン１，１に設けられた開口部３ａを有する目地材取付溝３に、目地部２を跨いで目地材１０の両端部を目地材取付溝３の開口部３ａから挿入固定する目地材取付溝の遮水構造１００であって、開口部３ａと目地材１０との間に、それぞれ開口部３ａと目地材１０とに接して遮水する溝遮水部材２０を備え、目地材取付溝３は、底部が塞がれて溝底部遮水材２４が設けられているので、溝遮水部材２０が開口部３ａと目地材１０とに両側でそれぞれ接触することで、開口部３ａを完全にシールすることができ、目地材取付溝３内に充填された充填材３ｃの漏洩を防止することができ、遮水することができる。これにより、目地材１０が取り付けられる目地材取付溝３を介して土砂、廃棄物、保有水、遮水材などが回り込んで流出することを防止して確実に遮水することができる。また、目地材取付溝３は、底部が塞がれて溝底部遮水材２４が設けられているので、目地材取付溝３の底部から、空間３ｂ内に充填した膨張モルタルなどの充填材３ｃが漏洩することを防止できる。これにより、一層確実に目地材取付溝３をシールして遮水することができる。
また、本発明の目地材取付溝の遮水構造１００によれば、ガイド部材４０に加えて溝底部遮水材２４が設けられることで、ガイド部材４０によって挿し込み固定金具６を開口部３ａ側に寄せたり、開口部３ａの中央に配置することができ、目地材１０，３０および溝遮水部材２０を所定の位置にすることができる。さらに、溝底部遮水材２４によって目地材取付溝３の底部から、空間３ｂ内に充填した膨張モルタルなどの充填材３ｃが漏洩することを防止できる。これにより、一層確実に目地材取付溝３をシールして遮水することができる。
【００３６】
本発明の目地材取付溝の遮水構造１００によれば、溝遮水部材２０は、開口部３ａの両側にそれぞれ配置される板状溝遮水材２１で構成されているので、板状溝遮水材２１が開口部３ａの内側で目地材１０，３０にそれぞれ接触することで、開口部３ａを塞いで遮水することができ、目地材取付溝３の開口部３ａは、完全にシールされ、充填材３ｃの漏洩を防止することができ、遮水することができる。これにより、目地材１０、３０が取り付けられる目地材取付溝３を介して土砂、廃棄物、保有水、遮水材などが回り込んで流出することを防止して確実に遮水することができる。
【００３７】
本発明の目地材取付溝の遮水構造１００によれば、溝遮水部材２０は、開口部３ａの両側にそれぞれ配置され中空部を有して充填材（中詰材）２３ａが充填される円筒状溝遮水材２３で構成されているので、円筒状溝遮水材２３を設けて充填材（中詰材）２３ａを充填することで、目地材取付溝３の開口部３ａは、完全にシールされ、充填材３ｃの漏洩を防止することができ、遮水することができる。これにより、目地材１０、３０が取り付けられる目地材取付溝３を介して土砂、廃棄物、保有水、遮水材などが回り込んで流出することを防止して確実に遮水することができる。
【００４０】
なお、上記実施の形態では、目地材１０と目地材３０を例に説明したが、目地材１０や目地材３０の形状は、上記のものに限らず、両端部に取付部を備え、これらをつないで変位に追従できる余長部、あるいは伸縮部が設けられるものであれば、どのような形状や材料であっても良い。
また、上記実施の形態では、ケーソンで、目地材を取り付ける目地材取付溝の遮水に適用する場合で説明したが、ケーソンに限らず他の構造物の目地材取付溝の遮水にも同様に適用することができる。
【００４１】
目地材の下端は、背面ガイド材で目地間側で押し付けられ、上端は挿し込み固定金具と溝部を万力等で押さえつけ、遮水することができる。これらは、図３〜５の方法と組み合わせて実施しても良い。
【符号の説明】
【００４２】
１００      目地材取付溝の遮水構造
１          ケーソン（構造物）
１ａ        端面
２          目地部
３，３      目地材取付溝
３ａ，３ａ  開口部
３ｂ，３ｂ  空間
３ｃ        充填材
４          凹部
５          板材
６          挿し込み固定金具
７          ボルト・ナット
１０        目地材
１１        １次止水材
１１ａ      取付部
１２        ２次止水材
１２ａ      取付部
１２ｂ      余長部
２０        溝遮水部材
２１        板状溝遮水材
２２        板状溝遮水材
２３        円筒状溝遮水材
２３ａ      充填材（中詰材）
２４        溝底部遮水材
３０        目地材
３１        取付部
３２        余長部
３２ａ      大環状部
３２ｂ      小環状部
３３        中詰材
４０        ガイド部材
４１        背面ガイド材
【図１】
0006647913.tif 000002
【図２】
0006647913.tif 000003
【図３】
0006647913.tif 000004
【図４】
0006647913.tif 000005
【図５】
0006647913.tif 000006
【図６】
0006647913.tif 000007
【図７】
0006647913.tif 000008
【図８】
0006647913.tif 000009